(57)【要約】【課題】送信動作をより確実に行うことができる通信端末装置を提供することを目的としている。【解決手段】自動発呼復帰を設定しておくと、ユーザが送信画情報を蓄積してから、保存時間Ｔ１を経過するまでの間、再発呼動作を含めた発呼動作が繰り返し行われるので、重要な送信動作を確実に実行させることができるという効果を得る。【選択図】          図１
2004241899.tif 000002
【特許請求の範囲】
【請求項１】
メッセージを表示する表示手段と、
画情報を蓄積する画情報蓄積手段と、
上記蓄積された画情報を発呼し送信する通信手段と、
自装置の操作を入力するための操作入力手段とを備え、
上記蓄積された画情報を送信するために指定された宛先へ、所定回数発呼しても通信が正常に終了しなかった場合には、所定の保存パラメータを参照した所定の条件が成立するまでの間に上記操作入力手段から発呼復帰指示が入力されると上記宛先へ繰り返し発呼動作を行う一方、所定の保存パラメータを参照した所定の条件が成立するまでの間に上記操作入力手段から発呼復帰指示が入力されない場合には当該画情報を消去し、
上記所定回数発呼しても通信が正常に終了しなかった場合には、上記発呼復帰指示を入力しなくても自動的に発呼するようにしたことを特徴とする通信端末装置。
【請求項２】
メッセージを表示する表示手段と、
画情報を蓄積する画情報蓄積手段と、
上記蓄積された画情報を発呼し送信する通信手段と、
自装置の操作を入力するための操作入力手段とを備え、
上記蓄積された画情報を送信するために指定された宛先へ、所定回数発呼しても通信が正常に終了しなかった場合には、所定の保存パラメータを参照した所定の条件が成立するまでの間に上記操作入力手段から発呼復帰指示が入力されると上記宛先へ繰り返し発呼動作を行う一方、所定の保存パラメータを参照した所定の条件が成立するまでの間に上記操作入力手段から発呼復帰指示が入力されない場合には当該画情報を消去し、
画情報蓄積時あるいは発呼復帰指示時に、発呼復帰指示を入力しなくても自動的に発呼することかどうかを選択する旨のメッセージを上記表示手段に表示するとともに、発呼復帰指示を入力しなくても自動的に発呼することを選択した場合には、上記所定回数発呼しても通信が正常に終了しなかった場合には、上記発呼復帰指示を入力しなくても自動的に発呼するようにしたことを特徴とする通信端末装置。
【請求項３】
さらに発呼復帰指示を入力しなくても、自動的に一群の発呼をする回数を入力するとともに、前記回数が入力された場合には、発呼復帰指示を入力しなくても入力された回数だけ自動的に前記宛先へ繰り返し発呼動作することを特徴とする請求項１記載の通信端末装置。
【請求項４】
あらかじめ設定されている発呼復帰指示の回数に達した場合には、それ以後発呼復帰指示による発呼を禁止することを特徴とする請求項１または請求項２または請求項３記載の通信端末装置。
【請求項５】
呼復帰指示が可能な蓄積された画情報を保持している場合には、前記表示手段にその旨を表示し、発呼が指令されると、該当の宛先へ発呼することを特徴とする請求項１または請求項２または請求項３または請求項４記載の通信端末装置。
【請求項６】
画情報蓄積時あるいは発呼復帰指示時に、指定された宛先へ所定回数発呼しても通信が正常に終了しなかった場合には、前記発呼復帰指示が可能であることを知らせるメッセージを前記表示手段に表示することを特徴とする請求項１または請求項２または請求項３または請求項４または請求項５記載の通信端末装置。
【請求項７】
前記所定の保存パラメータは、保存をつづける保持時間に相当するものであり、前記所定の条件は、保存パラメータの時間に達するかあるいは超えることであることを特徴とする請求項１または請求項２または請求項３または請求項４または請求項５または請求項６の通信端末装置。
【請求項８】
前記所定の保存パラメータは、蓄積されている画情報の件数であり、前記所定の条件は、蓄積された画情報の件数が、上記保存パラメータに達するかあるいは超えるを超えることであることを特徴とする請求項１または請求項２または請求項３または請求項４または請求項５または請求項６の通信端末装置。
【請求項９】
前記所定の保存パラメータは、画情報を蓄積しているメモリの残量であり、前記所定の条件は、画情報を蓄積しているメモリの残量が、上記保存パラメータ以下になったことであることを特徴とする請求項１または請求項２または請求項３または請求項４または請求項５または請求項６の通信端末装置。
【請求項１０】
前記所定の保存パラメータは、画情報を蓄積しているメモリ容量であり、前記所定の条件は、画情報を蓄積しているメモリの容量が、上記保存パラメータに達するかあるいは超えることであることを特徴とする請求項１または請求項２または請求項３または請求項４または請求項５または請求項６の通信端末装置。
【請求項１１】
前記所定の保存パラメータは、時刻であり、前記所定の条件は、時刻が、上記保存パラメータで規定された時刻に達するかあるいは超えることであることを特徴とする請求項１または請求項２または請求項３または請求項４または請求項５または請求項６の通信端末装置。
【請求項１２】
メッセージを表示する表示手段と、
画情報を蓄積する画情報蓄積手段と、
上記蓄積された画情報を発呼し送信する通信手段と、
自装置の操作を入力するための操作入力手段とを備え、
上記蓄積された画情報を送信するために指定された宛先へ、所定回数発呼しても通信が正常に終了しなかった場合には、所定の保存パラメータを参照した所定の条件が成立するまでの間に上記操作入力手段から発呼復帰指示が入力されると上記宛先へ繰り返し発呼動作を行う一方、所定の保存パラメータを参照した所定の条件が成立するまでの間に上記操作入力手段から発呼復帰指示が入力されない場合には当該画情報の消去をガイダンス表示して、画情報の消去が指定された場合には、その画情報を消去し、
画情報蓄積時あるいは発呼復帰指示時に、発呼復帰指示を入力しなくても自動的に発呼することかどうかを選択する旨のメッセージを上記表示手段に表示するとともに、発呼復帰指示を入力しなくても自動的に発呼することを選択した場合には、上記所定回数発呼しても通信が正常に終了しなかった場合には、上記発呼復帰指示を入力しなくても自動的に発呼するようにしたことを特徴とする通信端末装置。
【発明の詳細な説明】
【０００１】
【発明の属する技術分野】
本発明は、送信動作をより確実に行うことができる通信端末装置に関する。
【０００２】
【従来の技術】
従来では、一般に、ファクシミリ装置では、送信時にオペレータによって指定された宛先に発呼できなかった場合には、所定回数（例えば３回）まで繰り返し再発呼することで、宛先の回線が話中（ビジー）の場合でも可能な限り宛先と接続できるようにしている。
【０００３】
しかしながら、従来、例えば宛先の話中が長時間継続した場合などで再発呼の設定回数まで繰り返し発呼しても宛先と接続できなかったときには、その時点で宛先の発呼を終了していたので、かかる場合には再度送信のための設定入力を繰り返す必要があり、オペレータの手間がかかっていた。
【０００４】
また、画像蓄積機能を備えたファクシミリ装置では、送信画情報を蓄積して同様に再発呼するが、宛先を発呼できなかったときにはその宛先に伝送するために蓄積している画情報を消去しているので、画情報の蓄積も繰り返し行なう必要があり、さらに手間がかかっていた。
【０００５】
そこで、送信画情報の保存時刻および発呼復帰指示を入力するための操作入力手段を備え、指定された宛先を所定回数発呼しても当該宛先と接続できなかったとき、設定された保存時刻を経過するまでの間に発呼復帰指示が入力されたときには当該宛先への発呼動作を繰り返して、前記課題を解決するものも提案されている（特許文献１参照）。
【０００６】
【特許文献１】
特公平８−１０８９６号公報
【０００７】
【発明が解決しようとする課題】
しかしながら、このような従来装置では、送信が完了していない場合で、発呼復帰指示をうっかり忘れて、もう１度原稿の蓄積からやり直さなければならことがあるという不具合を生じるおそれがあった。
【０００８】
本発明は、かかる実情に鑑みてなされたものであり、送信動作をより確実に行うことができる通信端末装置を提供することを目的としている。
【０００９】
【課題を解決するための手段】
本発明は、メッセージを表示する表示手段と、画情報を蓄積する画情報蓄積手段と、上記蓄積された画情報を発呼し送信する通信手段と、自装置の操作を入力するための操作入力手段とを備え、上記蓄積された画情報を送信するために指定された宛先へ、所定回数発呼しても通信が正常に終了しなかった場合には、所定の保存パラメータを参照した所定の条件が成立するまでの間に上記操作入力手段から発呼復帰指示が入力されると上記宛先へ繰り返し発呼動作を行う一方、所定の保存パラメータを参照した所定の条件が成立するまでの間に上記操作入力手段から発呼復帰指示が入力されない場合には当該画情報を消去し、上記所定回数発呼しても通信が正常に終了しなかった場合には、上記発呼復帰指示を入力しなくても自動的に発呼するようにしたものである。
【００１０】
また、メッセージを表示する表示手段と、画情報を蓄積する画情報蓄積手段と、上記蓄積された画情報を発呼し送信する通信手段と、自装置の操作を入力するための操作入力手段とを備え、上記蓄積された画情報を送信するために指定された宛先へ、所定回数発呼しても通信が正常に終了しなかった場合には、所定の保存パラメータを参照した所定の条件が成立するまでの間に上記操作入力手段から発呼復帰指示が入力されると上記宛先へ繰り返し発呼動作を行う一方、所定の保存パラメータを参照した所定の条件が成立するまでの間に上記操作入力手段から発呼復帰指示が入力されない場合には当該画情報を消去し、画情報蓄積時あるいは発呼復帰指示時に、発呼復帰指示を入力しなくても自動的に発呼することかどうかを選択する旨のメッセージを上記表示手段に表示するとともに、発呼復帰指示を入力しなくても自動的に発呼することを選択した場合には、上記所定回数発呼しても通信が正常に終了しなかった場合には、上記発呼復帰指示を入力しなくても自動的に発呼するようにしたものである。
【００１１】
また、さらに発呼復帰指示を入力しなくても、自動的に一群の発呼をする回数を入力するとともに、前記回数が入力された場合には、発呼復帰指示を入力しなくても入力された回数だけ自動的に前記宛先へ繰り返し発呼動作するようにしたものである。
【００１２】
また、あらかじめ設定されている発呼復帰指示の回数に達した場合には、それ以後発呼復帰指示による発呼を禁止するようにしたものである。
【００１３】
また、呼復帰指示が可能な蓄積された画情報を保持している場合には、前記表示手段にその旨を表示し、発呼が指令されると、該当の宛先へ発呼するようにしたものである。
【００１４】
また、画情報蓄積時あるいは発呼復帰指示時に、指定された宛先へ所定回数発呼しても通信が正常に終了しなかった場合には、前記発呼復帰指示が可能であることを知らせるメッセージを前記表示手段に表示するようにしたものである。
【００１５】
また、前記所定の保存パラメータは、保存をつづける保持時間に相当するものであり、前記所定の条件は、保存パラメータの時間を経過することである。
【００１６】
また、前記所定の保存パラメータは、蓄積されている画情報の件数であり、前記所定の条件は、蓄積された画情報の件数が、上記保存パラメータを超えることである。
【００１７】
また、前記所定の保存パラメータは、画情報を蓄積しているメモリの残量であり、前記所定の条件は、画情報を蓄積しているメモリの残量が、上記保存パラメータよりも少なくなったことである。
【００１８】
また、前記所定の保存パラメータは、画情報を蓄積しているメモリ容量であり、前記所定の条件は、画情報を蓄積しているメモリの容量が、上記保存パラメータを超えることである。
【００１９】
また、前記所定の保存パラメータは、時刻であり、前記所定の条件は、時刻が、上記保存パラメータで規定された時刻を超えることである。
【００２０】
また、メッセージを表示する表示手段と、画情報を蓄積する画情報蓄積手段と、上記蓄積された画情報を発呼し送信する通信手段と、自装置の操作を入力するための操作入力手段とを備え、上記蓄積された画情報を送信するために指定された宛先へ、所定回数発呼しても通信が正常に終了しなかった場合には、所定の保存パラメータを参照した所定の条件が成立するまでの間に上記操作入力手段から発呼復帰指示が入力されると上記宛先へ繰り返し発呼動作を行う一方、所定の保存パラメータを参照した所定の条件が成立するまでの間に上記操作入力手段から発呼復帰指示が入力されない場合には当該画情報の消去をガイダンス表示して、画情報の消去が指定された場合には、その画情報を消去し、画情報蓄積時あるいは発呼復帰指示時に、発呼復帰指示を入力しなくても自動的に発呼することかどうかを選択する旨のメッセージを上記表示手段に表示するとともに、発呼復帰指示を入力しなくても自動的に発呼することを選択した場合には、上記所定回数発呼しても通信が正常に終了しなかった場合には、上記発呼復帰指示を入力しなくても自動的に発呼するようにしたものである。
【００２１】
【発明の実施の形態】
以下、添付図面を参照しながら、本発明の実施の形態を詳細に説明する。
【００２２】
図１は、本発明の一実施例にかかるグループ３ファクシミリ装置を示している。
【００２３】
同図において、システム制御部１は、このグループ３ファクシミリ装置の各部の制御処理、および、所定のグループ３ファクシミリ伝送制御手順処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このグループ３ファクシミリ装置に固有な各種の情報を記憶するためのものであり、時計回路４は、現在時刻情報を出力するためのものである。
【００２４】
スキャナ５は、所定の解像度で原稿画像を読み取るためのものであり、プロッタ６は、所定の解像度で画像を記録出力するためのものであり、操作表示部７は、このグループ３ファクシミリ装置を操作するためのもので、各種の操作キー、および、各種の表示器からなる。
【００２５】
符号化復号化部８は、画信号を符号化圧縮するとともに、符号化圧縮されている画情報を元の画信号に復号化するためのものであり、画像蓄積装置９は、符号化圧縮された状態の画情報を多数記憶するためのものである。
【００２６】
グループ３ファクシミリモデム１０は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００２７】
網制御装置１１は、このグループ３ファクシミリ装置をアナログ公衆網ＰＳＴＮに接続するためのものであり、自動発着信機能を備えている。
【００２８】
これらの、システム制御部１、システムメモリ２、パラメータメモリ３、時計回路４、スキャナ５、プロッタ６、操作表示部７、符号化復号化部８、画像蓄積装置９、グループ３ファクシミリモデム１０、および、網制御装置１１は、内部バス１２に接続されており、これらの各要素間でのデータのやりとりは、主としてこの内部バス１２を介して行われている。
【００２９】
また、網制御装置１１とグループ３ファクシミリモデム１０との間のデータのやりとりは、直接行なわれている。
【００３０】
図２および図３は、送信時の処理の一例を示している。
【００３１】
ユーザが送信原稿をスキャナ５にセットし（処理１０１）、操作表示部７を操作して宛先を入力すると（処理１０２）、自動発呼復帰モードをオンにするかオフにするかを入力させる（処理１０３）。
【００３２】
次いで、スキャナ５によりセットされた送信原稿を読み取り（処理１０４）、それによって得た画像データを符号化復号化部８で符号化圧縮し、それによって得た画情報を画像蓄積装置９に蓄積する（処理１０５）。
【００３３】
そして、画情報の保存時間を判定するためのタイマＴＴを起動し（処理１０６）、そのときの画像蓄積装置９に保存されているジョブ件数に従って、保存時間Ｔ１の値を設定する（処理１０７）。このとき、保存時間Ｔ１の値は、基本を６時間とし、ジョブ件数が１０件を超えるごとに、１時間を加算する態様で設定される。また、この保存時間Ｔ１の値は、例えば、画像蓄積装置９の空き容量に従った値に設定したり、画像蓄積装置９の使用容量に従った値に設定することもできる。
【００３４】
次いで、処理１０３で自動発呼復帰設定がオン操作されているかどうかを調べ（判断１０８）、判断１０８の結果がＹＥＳになるときには、フラグＦＧをセットし（処理１０９）、判断１０８の結果がＮＯになるときには、フラグＦＧをリセットする（処理１１０）。
【００３５】
次に、発呼回数を保存するためのカウンタＨＣの値を０に初期設定し（処理１１１）、指定された宛先へ発呼し（処理１１２）、宛先が話中であるかどうかを調べる（判断１１３）。
【００３６】
判断１１３の結果がＮＯになるときには、所定のグループ３ファクシミリ送信動作を行って、処理１０５で蓄積した画情報を、宛先へ送信する（処理１１４）。この送信動作を終了すると、送信が正常に終了したか否かを調べ（判断１１５）、判断１１５の結果がＹＥＳになるときには、そのときに送信した画情報を消去して（処理１１６）、この処理を終了する。
【００３７】
また、判断１１５の結果がＮＯになるとき、および、判断１１３の結果がＹＥＳになるときで、送信動作が正常に終了しなかった場合には、カウンタＨＣの値を１つ増やし（処理１１７）、カウンタＨＣの値が、再発呼回数を規定する定数ＮＡ以上になっているかどうかを調べる（判断１１８）。
【００３８】
判断１１８の結果がＮＯになるときには、所定の再発呼待ち時間を待機し（処理１１９）、処理１１２へ戻り、再発呼動作を行う。
【００３９】
また、判断１１８の結果がＹＥＳになるときには、タイマＴＴの値が保存時間Ｔ１以上になっているかどうかを調べ（判断１２０）、判断１２０の結果がＹＥＳになるときには、処理１１６へ移行し、画情報を消去して、この処理を終了する。
【００４０】
また、判断１２０の結果がＮＯになるときには、フラグＦＧがセットされているかどうかを調べる（判断１２１）。判断１２１の結果がＮＯになるときには、発呼動作を復帰するかどうかを問い合わせる発呼復帰操作入力ガイダンスメッセージを操作表示部７へ表示して、ユーザに、発呼復帰の操作を要求し（処理１２２）、発呼復帰操作があるかどうかを調べ（判断１２３）、判断１２３の結果がＮＯになるときには、判断１２０へ戻る。
【００４１】
また、判断１２１の結果がＹＥＳになるとき、および、判断１２３の結果がＹＥＳになるときには、発呼復帰動作を行う。すなわち、この場合には、判断１０８へ戻り、それ以降の動作を繰り返し行う。
【００４２】
このようにして、本実施例では、自動発呼復帰を設定しておくと、ユーザが送信画情報を蓄積してから、保存時間Ｔ１を経過するまでの間、再発呼動作を含めた発呼動作（一群の発呼動作）が繰り返し行われるので、重要な送信動作を確実に実行させることができる。
【００４３】
また、自動発呼復帰を設定しておかない場合でも、発呼復帰を促すメッセージが操作表示部７へ表示され、ユーザが発呼復帰を指令した場合には、再発呼動作を含めた発呼動作が繰り返し行われるので、重要な送信動作を確実に実行させることができる。
【００４４】
図４および図５は、送信時の処理の他の例を示している。
【００４５】
ユーザが送信原稿をスキャナ５にセットし（処理２０１）、操作表示部７を操作して宛先を入力すると（処理２０２）、自動発呼復帰モードをオンにするかオフにするかを入力させる（処理２０３）。
【００４６】
次いで、スキャナ５によりセットされた送信原稿を読み取り（処理２０４）、それによって得た画像データを符号化復号化部８で符号化圧縮し、それによって得た画情報を画像蓄積装置９に蓄積する（処理２０５）。
【００４７】
そして、画情報の保存時間を判定するためのタイマＴＴを起動し（処理２０６）、そのときの画像蓄積装置９に保存されているジョブ件数に従って、保存時間Ｔ１の値を設定する（処理２０７）。このとき、保存時間Ｔ１の値は、基本を６時間とし、ジョブ件数が１０件を超えるごとに、１時間を加算する態様で設定される。また、この保存時間Ｔ１の値は、例えば、画像蓄積装置９の空き容量に従った値に設定したり、画像蓄積装置９の使用容量に従った値に設定することもできる。
【００４８】
次いで、処理２０３で自動発呼復帰設定がオン操作されているかどうかを調べ（判断２０８）、判断２０８の結果がＹＥＳになるときには、フラグＦＧをセットし（処理２０９）、判断２０８の結果がＮＯになるときには、フラグＦＧをリセットする（処理２１０）。
【００４９】
次に、発呼回数を保存するためのカウンタＨＣの値を０に初期設定するとともに、自動発呼復帰動作の実行回数を保存するためのカウンタＨＫの値を０に初期設定し（処理２１１）、指定された宛先へ発呼し（処理２１２）、宛先が話中であるかどうかを調べる（判断２１３）。
【００５０】
判断２１３の結果がＮＯになるときには、所定のグループ３ファクシミリ送信動作を行って、処理２０５で蓄積した画情報を、宛先へ送信する（処理２１４）。この送信動作を終了すると、送信が正常に終了したか否かを調べ（判断２１５）、判断２１５の結果がＹＥＳになるときには、そのときに送信した画情報を消去して（処理２１６）、この処理を終了する。
【００５１】
また、判断２１５の結果がＮＯになるとき、および、判断２１３の結果がＹＥＳになるときで、送信動作が正常に終了しなかった場合には、カウンタＨＣの値を１つ増やし（処理２１７）、カウンタＨＣの値が、再発呼回数を規定する定数ＮＡ以上になっているかどうかを調べる（判断２１８）。
【００５２】
判断２１８の結果がＮＯになるときには、所定の再発呼待ち時間を待機し（処理２１９）、処理２１２へ戻り、再発呼動作を行う。
【００５３】
また、判断２１８の結果がＹＥＳになるときには、タイマＴＴの値が保存時間Ｔ１以上になっているかどうかを調べ（判断２２０）、判断２２０の結果がＹＥＳになるときには、処理２１６へ移行し、画情報を消去して、この処理を終了する。
【００５４】
また、判断２２０の結果がＮＯになるときには、フラグＦＧがセットされているかどうかを調べる（判断２２１）。判断２２１の結果がＮＯになるときには、カウンタＨＫの値を１つ増やし（処理２２２）、カウンタＨＫの値が、自動発呼復帰動作の回数を規定するための定数ＫＢ以上になっているかどうかを調べる（判断２２３）。
【００５５】
判断２２３の結果がＹＥＳになるときには、処理２１６へ移行し、画情報を消去して、このときの処理を終了する。
【００５６】
また、判断２２３の結果がＮＯになるとき、および、判断２２１の結果がＹＥＳになるときには、発呼復帰動作を行う。すなわち、この場合には、判断２０８へ戻り、それ以降の動作を繰り返し行う。
【００５７】
このようにして、本実施例では、自動発呼復帰を設定しておくと、ユーザが送信画情報を蓄積してから、保存時間Ｔ１を経過するまでの間、再発呼動作を含めた発呼動作が繰り返し行われるので、重要な送信動作を確実に実行させることができる。
【００５８】
また、自動発呼復帰を設定しておかない場合でも、規定回数までは、発呼復帰動作を行うようにしているので、ユーザが自動発呼復帰の設定操作を誤った場合でも、重要な送信動作を確実に実行させることができる。
【００５９】
図６および図７は、送信時の処理のさらに他の例を示している。
【００６０】
ユーザが送信原稿をスキャナ５にセットし（処理３０１）、操作表示部７を操作して宛先を入力すると（処理３０２）、自動発呼復帰モードをオンにするかオフにするかを入力させる（処理３０３）。
【００６１】
次いで、スキャナ５によりセットされた送信原稿を読み取り（処理３０４）、それによって得た画像データを符号化復号化部８で符号化圧縮し、それによって得た画情報を画像蓄積装置９に蓄積する（処理３０５）。
【００６２】
そして、画情報の保存時間を判定するためのタイマＴＴを起動し（処理３０６）、そのときの画像蓄積装置９に保存されているジョブ件数に従って、保存時間Ｔ１の値を設定する（処理３０７）。このとき、保存時間Ｔ１の値は、基本を６時間とし、ジョブ件数が１０件を超えるごとに、１時間を加算する態様で設定される。また、この保存時間Ｔ１の値は、例えば、画像蓄積装置９の空き容量に従った値に設定したり、画像蓄積装置９の使用容量に従った値に設定することもできる。
【００６３】
次いで、処理３０３で自動発呼復帰設定がオン操作されているかどうかを調べ（判断３０８）、判断３０８の結果がＹＥＳになるときには、フラグＦＧをセットし（処理３０９）、判断３０８の結果がＮＯになるときには、フラグＦＧをリセットする（処理３１０）。
【００６４】
次に、発呼回数を保存するためのカウンタＨＣの値を０に初期設定するとともに、自動発呼復帰動作の実行回数を保存するためのカウンタＨＫの値を０に初期設定し（処理３１１）、指定された宛先へ発呼し（処理３１２）、宛先が話中であるかどうかを調べる（判断３１３）。
【００６５】
判断３１３の結果がＮＯになるときには、所定のグループ３ファクシミリ送信動作を行って、処理３０５で蓄積した画情報を、宛先へ送信する（処理３１４）。この送信動作を終了すると、送信が正常に終了したか否かを調べ（判断３１５）、判断３１５の結果がＹＥＳになるときには、そのときに送信した画情報を消去して（処理３１６）、この処理を終了する。
【００６６】
また、判断３１５の結果がＮＯになるとき、および、判断３１３の結果がＹＥＳになるときで、送信動作が正常に終了しなかった場合には、カウンタＨＣの値を１つ増やし（処理３１７）、カウンタＨＣの値が、再発呼回数を規定する定数ＮＡ以上になっているかどうかを調べる（判断３１８）。
【００６７】
判断３１８の結果がＮＯになるときには、所定の再発呼待ち時間を待機し（処理３１９）、処理３１２へ戻り、再発呼動作を行う。
【００６８】
また、判断３１８の結果がＹＥＳになるときには、タイマＴＴの値が保存時間Ｔ１以上になっているかどうかを調べ（判断３２０）、判断３２０の結果がＹＥＳになるときには、処理３１６へ移行し、画情報を消去して、この処理を終了する。
【００６９】
また、判断３２０の結果がＮＯになるときには、フラグＦＧがセットされているかどうかを調べる（判断３２１）。判断３２１の結果がＮＯになるときには、カウンタＨＫの値を１つ増やし（処理３２２）、カウンタＨＫの値が、自動発呼復帰動作の回数を規定するための定数ＫＢ以上になっているかどうかを調べる（判断３２３）。
【００７０】
判断３２３の結果がＮＯになるとき、および、判断３２１の結果がＹＥＳになるときには、発呼復帰動作を行う。すなわち、この場合には、判断３０８へ戻り、それ以降の動作を繰り返し行う。
【００７１】
また、判断３２３の結果がＹＥＳになるときには、タイマＴＴの値が、保存時間Ｔ１になるまで待機し（判断３２４のＮＯループ）、判断３２４の結果がＹＥＳになると、処理３１６へ移行し、画情報を消去して、このときの処理を終了する。
【００７２】
このようにして、本実施例では、自動発呼復帰を設定しておくと、ユーザが送信画情報を蓄積してから、保存時間Ｔ１を経過するまでの間、再発呼動作を含めた発呼動作が繰り返し行われるので、重要な送信動作を確実に実行させることができる。
【００７３】
また、自動発呼復帰を設定しておかない場合でも、規定回数までは、発呼復帰動作を行うようにしているので、ユーザが自動発呼復帰の設定操作を誤った場合でも、重要な送信動作を確実に実行させることができる。また、規定回数まで自動発呼復帰動作を行った後は、保存時間Ｔ１を経過するまで保存した画情報を保持しているので、ユーザが保存した画情報を用いて他の宛先へ送信する等の動作を行うことができ、便利である。
【００７４】
なお、図６および図７に示した送信処理において、自動発呼復帰動作が設定されなかった場合に、ユーザに発呼復帰動作を行うかどうかを問い合わせる発呼復帰操作入力ガイダンスメッセージを表示させるようにすることもできる。
【００７５】
図８および図９は、送信時の処理のまたさらに他の例を示している。
【００７６】
ユーザが送信原稿をスキャナ５にセットし（処理４０１）、操作表示部７を操作して宛先を入力すると（処理４０２）、自動発呼復帰モードをオンにするかオフにするかを入力させる（処理４０３）。
【００７７】
次いで、スキャナ５によりセットされた送信原稿を読み取り（処理４０４）、それによって得た画像データを符号化復号化部８で符号化圧縮し、それによって得た画情報を画像蓄積装置９に蓄積する（処理４０５）。
【００７８】
そして、画情報の保存時間を判定するためのタイマＴＴを起動し（処理４０６）、そのときの画像蓄積装置９に保存されているジョブ件数に従って、保存時間Ｔ１の値を設定する（処理４０７）。このとき、保存時間Ｔ１の値は、基本を６時間とし、ジョブ件数が１０件を超えるごとに、１時間を加算する態様で設定される。また、この保存時間Ｔ１の値は、例えば、画像蓄積装置９の空き容量に従った値に設定したり、画像蓄積装置９の使用容量に従った値に設定することもできる。
【００７９】
次に、現在、発呼復帰可能な状態になっている送信ジョブが、画像蓄積装置９に蓄積されているかどうかを調べる（判断４０９）。判断４０９の結果がＹＥＳになるときには、操作表示部７に発呼復帰可能ファイルを表示して、当該ファイルの発呼復帰動作を行うか否かを問い合わせる発呼復帰可能ファイル操作ガイダンスメッセージを表示して（処理４１０）、ユーザに、表示した該当ファイルについて発呼復帰を指令するかどうかを操作入力させる。この発呼復帰操作入力ガイダンスメッセージに対し、ユーザが発呼復帰を指令した場合には（判断４１１の結果がＹＥＳ）、該当ファイルについて、発呼復帰動作を起動する（処理４１２）。
【００８０】
処理４１２に続いて、または、判断４１１の結果がＮＯになるとき、および、判断４０９の結果がＮＯになるときには、判断４１３へ進む。
【００８１】
すなわち、処理４０３で自動発呼復帰設定がオン操作されているかどうかを調べ（判断４１３）、判断４１３の結果がＹＥＳになるときには、フラグＦＧをセットし（処理４１４）、判断４１３の結果がＮＯになるときには、フラグＦＧをリセットする（処理４１５）。
【００８２】
次に、発呼回数を保存するためのカウンタＨＣの値を０に初期設定し（処理４１６）、指定された宛先へ発呼し（処理４１７）、宛先が話中であるかどうかを調べる（判断４１８）。
【００８３】
判断４１８の結果がＮＯになるときには、所定のグループ３ファクシミリ送信動作を行って、処理４０５で蓄積した画情報を、宛先へ送信する（処理４１９）。この送信動作を終了すると、送信が正常に終了したか否かを調べ（判断４２０）、判断４２０の結果がＹＥＳになるときには、そのときに送信した画情報を消去して（処理４２１）、この処理を終了する。
【００８４】
また、判断４２０の結果がＮＯになるとき、および、判断４１８の結果がＹＥＳになるときで、送信動作が正常に終了しなかった場合には、カウンタＨＣの値を１つ増やし（処理４２２）、カウンタＨＣの値が、再発呼回数を規定する定数ＮＡ以上になっているかどうかを調べる（判断４２３）。
【００８５】
判断４２３の結果がＮＯになるときには、所定の再発呼待ち時間を待機し（処理４２４）、処理４１７へ戻り、再発呼動作を行う。
【００８６】
また、判断４２３の結果がＹＥＳになるときには、タイマＴＴの値が保存時間Ｔ１以上になっているかどうかを調べ（判断４２５）、判断４２５の結果がＹＥＳになるときには、処理４２１へ移行し、画情報を消去して、この処理を終了する。
【００８７】
また、判断４２５の結果がＮＯになるときには、フラグＦＧがセットされているかどうかを調べる（判断４２６）。判断４２６の結果がＮＯになるときには、発呼動作を復帰するかどうかを問い合わせる発呼復帰操作入力ガイダンスメッセージを操作表示部７へ表示して、ユーザに、発呼復帰の操作を要求し（処理４２７）、発呼復帰操作があるかどうかを調べ（判断４２８）、判断４２８の結果がＮＯになるときには、判断４２５へ戻る。
【００８８】
また、判断４２６の結果がＹＥＳになるとき、および、判断４２８の結果がＹＥＳになるときには、発呼復帰動作を行う。すなわち、この場合には、判断４１３へ戻り、それ以降の動作を繰り返し行う。
【００８９】
このようにして、本実施例では、自動発呼復帰を設定しておくと、ユーザが送信画情報を蓄積してから、保存時間Ｔ１を経過するまでの間、再発呼動作を含めた発呼動作が繰り返し行われるので、重要な送信動作を確実に実行させることができる。
【００９０】
また、自動発呼復帰を設定しておかない場合でも、発呼復帰を促すメッセージが操作表示部７へ表示され、ユーザが発呼復帰を指令した場合には、再発呼動作を含めた発呼動作が繰り返し行われるので、重要な送信動作を確実に実行させることができる。
【００９１】
また、発呼復帰動作が可能な送信ジョブが保存されている場合には、送信操作を行ったユーザに対して、当該ファイルについて発呼復帰動作を行うかどうかを問い合わせ、発呼復帰動作を行うか否かを選択操作させるようにしているので、より確実な送信動作が期待できる。
【００９２】
図１０は、発呼復帰動作可能な送信ジョブが保存されている場合に行う他の処理の一例を示している。
【００９３】
まず、画像蓄積装置９を検索して、発呼復帰動作可能な送信ジョブが保存されているかどうかを調べ（処理５０１、判断５０２）、判断５０２の結果がＹＥＳになるときには、操作表示部７に発呼復帰可能ファイルを表示して、当該ファイルの発呼復帰動作を行うか否かを問い合わせる発呼復帰可能ファイル操作ガイダンスメッセージを表示して（処理５０３）、ユーザに、表示した該当ファイルについて発呼復帰を指令するかどうかを操作入力させる。
【００９４】
この発呼復帰操作入力ガイダンスメッセージに対し、ユーザが発呼復帰を指令した場合には（判断５０４の結果がＹＥＳ）、該当ファイルについて、発呼復帰動作を起動する（処理５０５）。また、判断５０４の結果がＮＯになるときには、発呼復帰動作を起動しない。
【００９５】
このようにして、発呼復帰動作が可能な送信ジョブが保存されている場合には、送信操作を行ったユーザに対して、当該ファイルについて発呼復帰動作を行うかどうかを問い合わせ、発呼復帰動作を行うか否かを選択操作させるようにしているので、より確実な送信動作が期待できる。
【００９６】
また、発呼復帰動作が可能な送信ジョブが保存されている旨を表示する方法としては、発呼復帰可能ファイル操作ガイダンスメッセージ以外でも、特定の表示器を用いる等の手段を適用することができる。
【００９７】
なお、上述した実施例では、画像蓄積装置９に保存したファイルを保持する条件として、「蓄積保存してから所定時間を経過しない」という条件を採用しているが、それ以外の条件を採用することもできる。例えば、「蓄積されている画情報の件数が所定値以内であれば保持」、「画像蓄積装置９の残量が所定値以上であれば保持」、「所定時刻を経過するまで保持」等である。
【００９８】
また、上述した実施例では、「所定回数発呼しても通信が正常に終了しなかった場合」に発呼復帰動作を行えるようにしているが、「相手装置が他の装置と通信中であったり、相手装置に異常が発生している場合等でビジー状態であるために通信できなかった場合」、「相手装置と接続できたが、なんらかの原因（例えば、回線上のノイズ等）で通信が正常終了しなかった場合」に発呼復帰動作を行えるようにすることもできる。
【００９９】
また、上述した実施例における画情報の消去動作は、「画情報そのものを画像蓄積装置９より消去する」、「画情報または画情報の管理情報の１つ以上を消去して、当該画情報へアクセスできなくする」という方法を採用することができる。
【０１００】
【発明の効果】
以上説明したように、本発明によれば、自動発呼復帰を設定しておくと、ユーザが送信画情報を蓄積してから、保存時間Ｔ１を経過するまでの間、再発呼動作を含めた発呼動作が繰り返し行われるので、重要な送信動作を確実に実行させることができるという効果を得る。
【０１０１】
また、自動発呼復帰を設定しておかない場合でも、発呼復帰を促すメッセージが操作表示部７へ表示され、ユーザが発呼復帰を指令した場合には、再発呼動作を含めた発呼動作が繰り返し行われるので、重要な送信動作を確実に実行させることができるという効果も得る。
【０１０２】
また、発呼復帰動作が可能な送信ジョブが保存されている場合には、送信操作を行ったユーザに対して、当該ファイルについて発呼復帰動作を行うかどうかを問い合わせ、発呼復帰動作を行うか否かを選択操作させるようにしているので、より確実な送信動作が期待できるという効果も得る。
【０１０３】
また、自動発呼復帰を設定しておかない場合でも、規定回数までは、発呼復帰動作を行うようにしているので、ユーザが自動発呼復帰の設定操作を誤った場合でも、重要な送信動作を確実に実行させることができるという効果も得る。
【０１０４】
また、自動発呼復帰を設定しておかない場合でも、規定回数までは、発呼復帰動作を行うようにしているので、ユーザが自動発呼復帰の設定操作を誤った場合でも、重要な送信動作を確実に実行させることができるという効果も得る。また、規定回数まで自動発呼復帰動作を行った後は、保存時間Ｔ１を経過するまで保存した画情報を保持しているので、ユーザが保存した画情報を用いて他の宛先へ送信する等の動作を行うことができ、便利であるという効果も得る。
【図面の簡単な説明】
【図１】本発明の一実施例にかかるグループ３ファクシミリ装置の構成例を示したブロック図。
【図２】送信時の処理の一例を示したフローチャート。
【図３】送信時の処理の一例を示したフローチャート（図２の続き）。
【図４】送信時の処理の他の例を示したフローチャート。
【図５】送信時の処理の他の例を示したフローチャート（図４の続き）。
【図６】送信時の処理のさらに他の例を示したフローチャート。
【図７】送信時の処理のさらに他の例を示したフローチャート（図６の続き）。
【図８】送信時の処理のまたさらに他の例を示したフローチャート。
【図９】送信時の処理のまたさらに他の例を示したフローチャート（図８の続き）。
【図１０】発呼復帰動作可能な送信ジョブが保存されている場合に行う他の処理の一例を示したフローチャート。
【符号の説明】
１  システム制御部
２  システムメモリ
３  パラメータメモリ
７  操作表示部
９  画像蓄積装置
【図１】
2004241899.tif 000003
【図２】
2004241899.tif 000004
【図３】
2004241899.tif 000005
【図４】
2004241899.tif 000006
【図５】
2004241899.tif 000007
【図６】
2004241899.tif 000008
【図７】
2004241899.tif 000009
【図８】
2004241899.tif 000010
【図９】
2004241899.tif 000011
【図１０】
2004241899.tif 000012